(57)【要約】【課題】装置全体の薄型化に際しても、発光素子の発する発熱を有効に放熱すると共に装置全体の剛性の向上を図った液晶表示装置を提供すること。【解決手段】液晶パネル３２と、液晶パネル用の光源ユニット１０と、この両者を保持するシャーシ２５と、液晶パネル３２の前面側の周囲を保持するフロントフレーム３１とを備えた液晶表示装置であって、前記光源ユニット１０を、面状光を出力する導光板２３と、この導光板２３に併設され複数の発光素子（ＬＥＤ）１１を保持する発光体実装基板１２と、導光板２３を背面側に装備され光反射機能を備えたリアフレーム２１とを備えて構成し、リアフレーム２１の外面（背面側）の少なくとも一部に、光源ユニット補強板１３を装備し、この光源ユニット補強板１３の発光体実装基板１２側の端部を、導光板２３の端部に沿って曲折し前記発光体実装基板１２に当接させた構造としたこと。【選択図】図１
2016142866.tif 000002
【特許請求の範囲】
【請求項１】
液晶パネルと、この液晶パネルの背面側に配設された液晶パネル用の光源ユニットと、この光源ユニットの周端部を前記液晶パネルと共に保持するシャーシと、このシャーシと共に前記液晶パネルの前面側の周囲を保持するフロントフレームとを備えた液晶表示装置であって、
前記光源ユニットを、
前記液晶パネルに向けて面状光を出力する導光板と、この導光板の一端部の端面に対向して配置された複数の発光素子を保持する発光体実装基板と、前記導光板を背面側で保持し且つ光反射機能を備えたリアフレームとを含んで構成され、
前記リアフレームの外面に、前記導光板の一部に対応して光源ユニット補強板を装備すると共に、この光源ユニット補強板の前記発光体実装基板側の端部を、前記導光板の端面に沿って曲折し前記発光体実装基板の背面側に当接させて一体化構造としたことを特徴とする液晶表示装置。
【請求項２】
請求項１記載の液晶表示装置において、
前記光源ユニット補強板の前記発光体実装基板側の端部に代えて、前記リアフレームの前記発光体実装基板側の端部を、前記導光板の端面に沿って曲折し前記発光体実装基板の背面側に当接させた構造としたことを特徴とする液晶表示装置。
【請求項３】
請求項１又は２に記載の液晶表示装置において、
前記光源ユニット補強板は、
その両端面部分が前記リアフレームに当接し一体的に連結される第一のテラス部及び第二のテラス部と、その中央領域部分が前記リアフレームから離間した状態で内側に層状空間を形成してなる断面逆Ｕ字状平板部とをもって構成されたものであることを特徴とする液晶表示装置。
【請求項４】
請求項３に記載の液晶表示装置において、
前記光源ユニット補強板は、前記断面逆Ｕ字状平板部に、複数の通気用開口穴を備えていることを特徴とした液晶表示装置。
【請求項５】
請求項１乃至４の何れか一つに記載の液晶表示装置において、
前記光源ユニット補強板の外面側に、当該光源ユニット補強板に保持され且つ当該光源ユニット補強板との間に一定の層状空間を形成してなる信号処理基板を配設し、この信号処理基板に前記液晶パネル駆動用の信号処理回路が組み込まれていることを特徴とした液晶表示装置。
【請求項６】
請求項１乃至５の何れか一つに記載の液晶表示装置において、
前記光源ユニットは、前記光源ユニット補強板と共に前記シャーシに対して着脱自在に装備されていることを特徴とした液晶表示装置。
【発明の詳細な説明】
【技術分野】
【０００１】
本発明は、液晶表示装置に係り、特に、表示装置の大型化および薄型化と共に生じる当該表示装置全体の剛性の低下に対して、外力によって生じるフレームの捻じれや撓みを予め有効に回避する。これによって液晶パネル面の色ムラや輝度の不均一性を排除する機能を備えた液晶表示装置に関する。
【背景技術】
【０００２】
従来、液晶表示装置が備えているエッジ光源型のバックライトは、背面に反射膜を備えた透明な導光板の一辺又は二辺の側面にＬＥＤ等の複数の発光素子（光源）を配置している。そして、導光板により側面入力される光源からの光を分散させて、液晶画面（液晶パネル）に向けて送りだすように構成されている。
【０００３】
ここで、上記液晶表示装置は、近年にあっては、その薄型・狭額縁化、及び大型化と共に、高輝度化の要求が高まってきている。同時に、高輝度化に伴い光源の発熱量も増加することから、光源の熱対策が重要な課題の一つになっている。
【０００４】
この場合、表示装置の上記薄型化は、各構成部材の薄型化、特に光源のＬＥＤ(Light Emitting Diode)の取付け部材や導光板に対する薄型化によって実行される。このため、各構成部材の薄型化は、必然的に液晶モジュール全体の剛性の低下を招くこととなる。
【０００５】
その結果、液晶モジュールを支えるシャーシ（筐体、駆体）やフレーム（枠体）が弱体化するため、当該シャーシやフレームが、全体的に歪んだり、撓んだり、捻じれたりして、変形し易くなってしまう。これら骨格を成す構成部材の変形は、そこに組み込まれた液晶パネルそのものに伝わり、色の表示面内における不均一性（色ムラ）、輝度の表示面内不均一性（面内ムラ）が発生しやすくなるという不都合が生じる。
【０００６】
ここで、上記液晶表示装置の薄型および大型化により生じる各種の課題が発生している。特に液晶モジュール全体の剛性の低下を考慮し、これを補填する構造を備えた各種液晶表示装置として、下記の特許文献１乃至５のものが知られている。
【０００７】
この内、特許文献１のものは、例えば図８に示すプラズマテレビ用のシャーシ１０１について、その矯正装置に関するものである。これは当該シャーシ１０１の矯正作業を迅速に、確実に、且つ効率的に実行することを意図したものである。
【０００８】
この場合、シャーシ１０１としては、図８に示すように方形状パネルの四周端部１０２を残して内部を絞り加工にて外側に隆起させて内側に方形状の凹部１０３を形成し、その凹部１０３内に例えば三本の横補強桟１０５を二本の縦補強桟１０６で梯子状に形成して固着装備する。それに加えて、この場合に生じる符号１０７の複数の各領域（対称位置）に生じる歪量にもとづいて、当該シャーシ１０１の全体を矯正しようとするものである。
【０００９】
又、特許文献２のものは、エッジライト型の照明装置、表示装置、又は受信装置が備えている各シャーシ（枠状部材２０１）のねじれに対して剛性を高めることを意図したものである（図９，図１０参照）。
【００１０】
この場合、図９において、枠状部材（フレーム）２０１は、対向する二本の比較的長い枠部材２１１，２１２と、対向する二本の比較的短い枠部材２１３，２１４とによって長方形状に形成されている。そして、比較的短い枠部材２１３，２１４の対向面部分に、複数のＬＥＤ２１０ａ，２１０ａ，……がそれぞれ装備され、この各ＬＥＤ２１０ａからの発生光を面発光に変換する導光板（図１０では符号２１５）が該枠状部材２０１にはめ込まれ、これによって照明装置（図１０の符号２１０に相当）が構成されている。
【００１１】
そして、上記枠状部材２０１には、更に、比較的長い枠部材２１１，２１２の相互間に二本の補強部材２３１，２３２が等間隔に架設される。これによって、枠状部材２０１のねじれに対する剛性が高められた状態となっている。
【００１２】
図１０にも、形状は異なるが上記図９の枠状部材２０１と同等に機能する枠状部材２０２が開示されている。ここで、符号２００は液晶表示装置を示し、符号２００Ａは液晶パネルを示し、符号２００Ｂは液晶パネル用の取付け枠（ベゼル）を示す。
【００１３】
更に、特許文献３には、ライトガイド及びこれを備えた電気光学装置に関するもので、図１１に示すように、特に液晶パネルおよび当該液晶パネルを背後から照明するためのバックライト（パネル支持体３０１）に関する技術が、開示されている。
【００１４】
この特許文献３におけるパネル支持体３０１には、具体的には側面から導入する光を面状光に変換して出力する導光部３０２Ａを備えたライトガイド３０２が、パネル支持体３０１に組み込まれている。このライトガイド３０２を保護しその変形を排除するために、パネル支持体３０１の剛性が強化された構造となっている（図１１参照）。
【００１５】
即ち、この図１１に示す特許文献３には、上記したように、表示面に対して垂直方向が薄く、且つ衝撃等に強い液晶パネル用のライトガイドを含むパネル支持体３０１が開示されている。これは、対角線上に凸リブ状の厚みを加えた補強部材３０１Ａ，３０１Ｂを設けた点に特徴がある。これにより、衝撃などの外部応力が加わっても、パネル支持体３０１が変形しにくくなるという利点がある。ここで、符号３０３は光反射板を示す。
【００１６】
又、特許文献４には、面状で且つ薄型の照明装置に関する技術が開示されている（図１２（Ａ）参照）。
この特許文献４における照明装置４００は、筐体４０１が撓むという課題がある。これに対して、補強部材４０２Ａ，４０２Ｂを、一定間隔を隔てて二箇所に分割装備した点について、特徴を有している。これにより、放熱機能、光反射機能、電子部品保護機能を備えた構造となっている（図１２（Ａ）参照）。
【００１７】
具体的には、この図１２（Ａ）に示すように、筐体４０１の背面４０１ａには、二本の補強部材４０２Ａ，４０２Ｂが、筐体４０１の一辺から対向する他の一辺にわたって架設され、筐体４０１の背面４０１ａに平行に配設されている。
【００１８】
この二本の補強部材４０２Ａ，４０２Ｂは、断面がコの字状の金属板部材から成り、背面４０１ａ側から筐体４０１内部に収容された電子部品等の荷重よる撓みを防止することができる。更に、この各補強部材４０２Ａ，４０２Ｂは、ＬＥＤ（図示せず）から発せられて筐体４０１側に伝熱される熱を放熱する放熱部材としても機能している。
【００１９】
更に、特許文献５には、照明ユニット及び液晶表示装置に係る技術、特に、複数の発光ダイオード（ＬＥＤ）５０１ａ，５０１ａ，……を同一線上に装備したＬＥＤ基板５０２を筐体５０５に装備するに際しての作業性向上を図り、且つ不良発生数の低減を図るための技術内容が開示されている（図１２（Ｂ）参照）。
具体的には、ＬＥＤ実装基板５０２に補強部材５０４を取り付けると共に、この補強部材５０４がＬＥＤ５０１ａの放熱を兼ね備えた技術的構成が開示されている。ここで、符号５０６は導光板を示す。
【先行技術文献】
【特許文献】
【００２０】
【特許文献１】特開２００６−１１０６２３号公報
【特許文献２】特開２０１３−１２５５９３号公報
【特許文献３】特開２０００−２７５４４５号公報
【特許文献４】特開２００９−２０６０６２号公報
【特許文献５】特開２００８−９１２７５号公報
【発明の概要】
【発明が解決しようとする課題】
【００２１】
しかしながら、上記各特許文献１乃至５にあっては、表示装置全体の薄型化に対応して弱体化する剛性を内から強化するための技術的な対策はそれぞれが備えているが、例えば外力に対する備えに対しては、特許文献３以外のものは必ずしも充分なものとはなっていない。
【００２２】
又、装置全体の薄型化若しくは大型化と共に、光源の高輝度化に伴って発熱量が増加するという現実があるが、上記各実施形態にあっては、そのための冷却効率を高めることについては、必ずしも充分なものではない。
【００２３】
即ち、上記各特許文献１乃至５の内、特許文献１にあっては、表示装置が自ら発生する熱について、その有効な放熱若しくは冷却技術については何らの開示されておらず、何らの対策もとられていない。
【００２４】
又、特許文献２にあっては、補強部材２３１，２３２をＬＥＤ用の放熱部材としてもよい旨の開示はなされているが、この補強部材２３１，２３２を介して外部にどのように放熱するのかという有効な放熱技術および冷却技術については何らの開示もなされてはいない。
【００２５】
更に、特許文献３にあっては、衝撃などの外部応力が加わってもパネル支持体３０１が変形しにくくなることを開示しているが、発光ダイオードの発する熱に対する有効な放熱若しくは冷却技術については、何らの開示されておらず、何らの示唆もない。
【００２６】
又、特許文献４にあっては、補強部材４０２Ａ，４０２Ｂは、ＬＥＤから発せられて筐体４０１に伝熱された熱を放熱する放熱部材としても機能する旨の開示はあるが、光源との位置関係や明るさの均一性等についての開示がない。又、開示された補強部材４０２Ａ，４０２Ｂは、幅の狭い棒状板材であり、その当接面積からして有効な放熱効果は期待出来ない構造となっている。
【００２７】
更に、特許文献５にあっては、ＬＥＤ実装基板５０２に補強部材５０４を取り付けると共に、この補強部材５０４がＬＥＤ５０１の放熱を兼ね備えた技術的構成が開示されているが、この補強部材５０４は、導光板５０５用の枠部材５０６の一部に重ねられて装備されているにすぎない（図１２（Ｂ）参照）。
【００２８】
このため、この特許文献５におけるＬＥＤ５０１用の放熱機能は、従来公知の枠体における僅かな放熱機能と同等であり、ＬＥＤ５０１用の具体的な放熱手段については何らの開示もなされてはいない。
【００２９】
このように、上記各特許文献１乃至５における従来技術にあっては、液晶表示装置若しくはその照明装置については、全体の補強構造についての開示はある。しかし発光素子（ＬＥＤ）の発熱を効率よく放熱する構造については、その何れにも、具体的で且つ明確な技術についての何ら開示はされていない。
【００３０】
〔発明の目的〕
本発明は、上記従来技術の有する不都合を改善することに加えて、特に装置全体の薄型化に際しても、発光素子の発する発熱を有効に放熱すると共に装置全体の剛性の向上を図った液晶表示装置を提供することを、その目的とする。
【課題を解決するための手段】
【００３１】
上記目的を達成するため、本発明は、液晶パネルと、この液晶パネルの背面側に配設された液晶パネル用の光源ユニットと、この光源ユニットの周端部を前記液晶パネルと共に保持するシャーシと、このシャーシと共に前記液晶パネルの前面側の周囲を保持するフロントフレームとを備えた液晶表示装置であって、
前記光源ユニットを、前記液晶パネルに向けて面状光を出力する導光板と、この導光板の一端部の端面に対向して配置された複数の発光素子を保持する発光体実装基板と、前記導光板を背面側で保持し且つ光反射機能を備えたリアフレームとを含んで構成し、
前記リアフレームの外面に、前記導光板の一部に対応して光源ユニット補強板を装備すると共に、この光源ユニット補強板の前記発光体実装基板側の端部を、前記導光板の端面に沿って曲折し前記発光体実装基板に当接させた構造とする、という構成を採っている。
【発明の効果】
【００３２】
本発明は以上のように構成したので、これによると、装置全体の薄型化に際しても、光源ユニット補強板とリアフレームとが連係して有効に機能し、装置全体の剛性の向上を図ると共に発光素子の発する発熱を、光源ユニット補強板とリアフレームとが連係して有効に分散し放熱することを可能とした液晶表示装置を提供することができる。
【図面の簡単な説明】
【００３３】
【図１】本発明における液晶表示装置の第１実施形態を示す斜視図で、図１（Ａ）は液晶パネル面側（正面側）を示す正面斜視図、図１（Ｂ）は図１（Ａ）の下面側（背面側）を示す背面斜視図である。
【図２】図１に開示した液晶表示装置の背面側からみた一部省略した分解斜視図である。
【図３】図１（Ｂ）の線分Ａ−Ａに沿った断面の一部を含む部分断面斜視図である。
【図４】図１（Ｂ）の線分Ａ−Ａに沿った断面の一部を含む部分断面図である。
【図５】図１に開示した第１実施形態の効果の一例を示す図で、図５（Ａ）は図４と同等の部分断面図を示し、図５（Ｂ）は図５（Ａ）中に明記した記号ｈ，ｔを用いて外力に対するリアフレーム部分の剛性の変化量を測定した場合の例を示す図表である。
【図５（Ｃ）】図１に開示した第１実施形態の効果の一例を示す図で、ＬＥＤを実装した発光体実装基板を示す斜視図である。
【図６】本発明における液晶表示装置の第２実施形態を示す部分断面斜視図である。
【図７】本発明における液晶表示装置の第３実施形態を示すが部分断面斜視図である。
【図８】関連技術であるプラズマ表示装置（特許文献１）におけるシャーシ部分の一例を示す説明図である。
【図９】関連技術であるエッジライト型の照明装置（特許文献２）におけるシャーシ部分の一例を示す説明図である。
【図１０】図９の関連技術の照明装置を装備した液晶表示装置（特許文献２）における分解斜視図である。
【図１１】関連技術である液晶表示装置の照明装置（特許文献３）の一例を示す背面斜視図である。
【図１２】関連技術である液晶表示装置の照明装置の一例を示す背面斜視図で、図１２（Ａ）は特許文献４に開示された照明装置の一例を示す背面斜視図、図１２（Ｂ）は特許文献５に開示された照明装置の一例を示す背面分解斜視図である。
【発明を実施するための形態】
【００３４】
〔第１実施形態〕
以下、本発明の液晶表示装置にかかる第１実施形態を、図１乃至図５に基づいて説明する。
（全体構成）
まず、本第１実施形態の要点を含む全体的な構成を説明する。
図１乃至図５において、液晶表示装置１は、液晶パネル３２と、この液晶パネル３２の背面側に配設された液晶パネル用の板状の光源ユニット（面発光装置）１０と、この光源ユニット１０の周端部を上記液晶パネル３２と共に保持するシャーシ２５と、該シャーシ２５と共に液晶パネル３２の前面側の周囲を保持するフロントフレーム３１とを備えている。
【００３５】
ここで、上記光源ユニット１０は、液晶パネル３２に向けて面状光を出力する導光板２３と、この導光板２３の一方の側（一端部）の側端面に対向して配置された複数の発光素子であるＬＥＤ（Light Emitting Diode）光源（以下、ＬＥＤという）１１と、このＬＥＤ１１を図５（Ｃ）に示すように等間隔に列状に保持する発光体実装基板１２と、導光板２３の背面側に配設され当該導光板２３を保持する光反射機能を備えたリアフレーム２１と、導光板２３の前述した液晶パネル３２側に装備された光学シート２４とを備えて構成されている（図３，図４参照）。
【００３６】
この場合、導光板２３の背面側のリアフレーム２１部分には、図３に示すように光反射シート２２が装着されている。これによって、当該リアフレーム２１は導光板２３に対して光反射機能を実行し得るようになっている。又、導光板２３の前述した液晶パネル３２側には、当該液晶パネル３２に向けて照明光が効率よく送り込めるように光学シート２４が装着されている。
【００３７】
ここで、上述したシャーシ２５には、その内面側に板状の突設部２５Ａが、前述した導光板２３に平行に突設されている。この突設部２５Ａは、上述した導光板２３と液晶パネル３２とを同時に保持する機能を備えている。本第１実施形態では、シャーシ２５の一方の対向する内壁面にそれぞれ突設されている（図３，図４参照）。
【００３８】
そして、この場合、前述した液晶パネル３２は、その背面側がシャーシ２５の突設部２５Ａによって、又その表面側周囲がフロントフレーム３１によって、それぞれ保持され且つ両者によって挟持されている。
【００３９】
又、前述した導光板２３は、前述した液晶パネル３２側の面（光出力面側）の対向する端部がシャーシ２５の突設部２５Ａによって、又その背面側（光反射面側）がフロントフレーム３１によって、それぞれ係止される。それと共に両者によって、前述した液晶パネル３２とは独立した状態で挟持されている。
このため、例えば、導光板２３を装備した上記光源ユニット１０は、液晶パネル３２とは独立して上記した液晶表示装置１に対して着脱自在に装備されるようになっている。
【００４０】
上記リアフレーム２１の外面には、図３乃至図４に示すように、前記導光板２３の一部に対応して光源ユニット補強板１３が装備されている。
この光源ユニット補強板１３は熱伝導性良好な金属等の剛性部材により形成されている。その前述した発光体実装基板１２側の端部（第一テラス部１３Ａの先端部）は、上述した導光板２３の側端面に沿って曲折される。ここで、テラス部とは１３Ａ、１３Ｂに示されるような平坦な面部を指している。この曲折部が前記発光体実装基板１２の背面側に当接させた状態に配設され且つ粘着材や両面テープにより接着されて一体化され、更に、この曲折部を介して光源ユニット補強板１３が発光体実装基板１２と共に前述したシャーシ２５に連結された状態となっている。
【００４１】
このため、導光板２３は、表示装置１全体の薄型化に伴って薄型化されても、光源ユニット補強板１３が有効に機能して、不足すると予測される強度を有効に補填することとなり、これによって導光板２３の剛性が保持される。それと共に、各ＬＥＤ１１，１１，…の発熱は発光体実装基板１２の全面から光源ユニット補強板１３に同時に伝熱され、当該光源ユニット補強板１３を介して外部に有効に放熱される構造である。
【００４２】
このように、本第１実施形態にあっては、具体的には後述するが、装置全体の薄型化（特に導光板２３等の薄型化に際しても、光源ユニット補強板１３とリアフレーム２１とが連係して有効に機能する。この機能によって装置全体の剛性の向上を図る。それと共に発光素子である各ＬＥＤ１１の発する発熱を、当該光源ユニット補強板１３とリアフレーム２１とが連係して有効に分散し放熱することを可能とすることができる。
【００４３】
上記光源ユニット補強板１３は、本第１実施形態にあっては、その両端部が前述したリアフレーム２１に当接し一体的に連結される面状部から成りＬＥＤ１１，１１，……に近い位置に配置された一端部領域（第一のテラス部）１３Ａと、ＬＥＤ１１，１１，……から離れた位置に配置された他端部領域（第二のテラス部）１３Ｂと、その中央領域部分１３Ｃを成し前記リアフレーム２１の面から離間した状態で層状空間Ｋを形成してなる断面逆Ｕ字状平板部１３Ｃとをもって構成されている。
【００４４】
この場合、層状空間Ｋは、ＬＥＤ１１，１１，……の配列方向に沿って設置されている。
又、光源ユニット補強板１３の一端部領域１３Ａ及び他端部領域１３Ｂは、それぞれ、リアフレーム２１に面接触された状態でねじ止め若しくは溶接等で一体的に固着され、リアフレーム２１と共に導光板２３の剛性を強化した状態となっている。
【００４５】
これにより、ＬＥＤ１１，１１，……が発する熱が光源ユニット補強板１３およびリアフレーム２１に分散して伝達される。これによってＬＥＤ１１，１１，……の放熱効果が向上すると共に、光源ユニット補強板１３によって導光板２３の剛性が強化される。その結果、装置全体の剛性が向上することとなる。
【００４６】
また、光源ユニット補強板１３の断面逆Ｕ字状平板部１３Ｃ部分には、複数の通気用開口穴１３ａが形成されている。
これにより、液晶表示装置１に組み込んだ電子機器用の冷却ファンの風が光源ユニット補強板１３に当たり、複数の通気用開口部１３ａから上記層状空間Ｋ内に入り易くなる。このため、リアフレーム２１側の熱も冷却することも可能となる。又、冷却用の風が光源ユニット補強板１３の複数の通気用開口部１３ａで乱流を発生させることにより、更に冷却効果が向上するという利点がある。
【００４７】
即ち、ＬＥＤ１１，１１，……からリアフレーム２１に伝達される発熱は、光源ユニット補強板１３の通気用開口穴１３ａ，１３ａ，……を介して外部へ円滑に放出されるようになっている。
【００４８】
更に、前述した液晶パネル３２には、図２に示すように当該液晶パネル３２を駆動用の信号処理回路を装備した信号処理基板３４が、フレキシブル基板３５を介して連結されている。
【００４９】
この信号処理基板３４は、図２に示すうように、フレキシブル基板３５部分で前述した光源ユニット１０の背面側に曲折されて積層される。更に、当該光源ユニット１０の背面側に予め装備された信号入出力基板３６に一体的に重合装備されるようになっている。図２において、点線Ｒは、信号処理基板３４の曲折経路を示す。
また、符号３３は重合装備された信号処理基板３４の外面に装備される基板カバーを示す。
【００５０】
（具体的な構成）
以下、これを更に具体的に説明する。
本第１実施形態における液晶表示装置１は、上述したように、液晶パネル３２と、この液晶パネル３２を駆動用の信号処理回路を備えた基板信号処理基板３４と、この基板信号処理基板３４と液晶パネル３２とを接続するＣＯＦやＴＣＰ等のフレキシブル基板３５とを備え、液晶パネル３２の背面方向から光を照射して当該液晶パネル３２の画像を映し出す光源ユニット（バックライト）１０とを備えて構成されている。
【００５１】
光源ユニット１０は、発光素子（光源）としての複数のＬＥＤが当該光源ユニット１０の発光面の周囲４辺（周囲の側端面）の内の少なくとも１辺に予め配置され、アクリルやポリカーボネート等の透明材料により成る導光板２３に側面から入光させる。それと共に、この光を当該導光板２３が正面の発光面全体に広げて出力するように構成されている。
【００５２】
この場合、所謂エッジ型バックライトを構成する導光板２３は、光源から入射された光を効率よく発光面側へ出射できるように、導光板２３の背面にはシルク印刷や金型で凹凸を付けた反射パターンを有している。さらに側面と背面は反射シート２２等で光が外部に漏れることを防止している。
【００５３】
導光板２３の液晶パネル３２側には、導光板２３から出射された光を効率的に液晶パネル３２へ入射させるための光学シート２４、例えば、拡散シート、レンズシート、偏光シート等が、複数枚取り付けられている。
【００５４】
上記複数のＬＥＤ１１は、前述したようにＬＥＤ実装基板１２に実装されて、導光板２３の少なくとも１辺（側端面）に対して、各ＬＥＤ１１の発光面が当該導光板２３の入射面（側端面）に対向するように設置される。
【００５５】
更に、ＬＥＤ実装基板１２は、放熱の為にアルミ等の熱伝導性が高い金属板でできた光源ユニット補強板１３の端に取り付けられ、前述したように、当該光源ユニット補強板１３の断面はリアフレーム２１の付近でリアフレーム２１に平行で密着するように折り曲げられ、リアフレーム２１と面で固定されている。
【００５６】
また、光源ユニット補強板１３の断面形状は、前述したようにその中央領域が断面逆Ｕ字状平板部１３Ｃを構成している。
即ち、光源ユニット補強板１３の中央領域は、まず、その第１テラス１３Ａ側がリアフレーム２１から僅かに離れる方向にほぼ直角方向に曲がる。そしてリアフレーム２１と平行部を構成し、再度リアフレーム２１側にほぼ直角に折れ曲がる。更にリアフレーム２１でリアフレーム２１に接するように略直角に折れ曲がる。そして、この光源ユニット補強板１３の両端部の前記リアフレーム２１に接する領域部分を、前述したように、ＬＥＤ１１側から第一のテラス部１３Ａと第二のテラス部１３Ｂとした。
【００５７】
そして、この光源ユニット補強板１３は、第一のテラス部１３Ａと第２のテラス部１３Ｂでリアフレーム２１と接する。それと共に、当該接する部分でリアフレーム２１に、溶接やネジ、爪嵌合で固定される。
【００５８】
これにより、光源ユニット補強板１３とリアフレーム２１間で、前述したように層状空間（層状空洞部）Ｋができる。光源ユニット補強板１３は、この断面形状でＬＥＤ実装基板１２の長さ相当に引き延ばされた形状になる。また、前記層状空間Ｋのリアフレーム２１と平行をなす光源ユニット補強板の平面部分に、前述したように通気用開口穴１３ａが複数設けられている。
【００５９】
また、光源ユニット補強板１３は、導光板２３へのＬＥＤ入光辺側に取り付けられている。
液晶表示装置１は、リアフレーム２１背面に光源ユニット補強板１３が装備される。そして上記層状空間Ｋが設けられることにより、リアフレーム２１の剛性がアップし液晶表示装置１自体の剛性がアップする。
【００６０】
更に、複数の各ＬＥＤ１１とこれを装備したＬＥＤ実装基板１２とが導光板２３の上下二辺（対向する二辺）に取り付けられる場合は、光源ユニット補強板１３と、当該光源ユニット補強板１３とリアフレーム２１との間で作られる層状空間Ｋとは、導光板２３の入光部である上下二辺（（対向する二辺）の領域にそれぞれ設置されることになる。
【００６１】
また、各ＬＥＤ１１の発熱に対しては、当該ＬＥＤ１１の熱がＬＥＤ実装基板１２を介して光源ユニット補強板１３に伝わる。そして当該光源ユニット補強板１３がリアフレーム２１に接続されている部分で、ＬＥＤの熱がリアフレーム２１にも伝達されて、熱伝達ルートが増える。これにより放熱効果がアップする。
【００６２】
更に、この液晶表示装置１が実装する電子機器等用のファン等で空気の流れが生じた場合、この空気の流れが光源ユニット板１３の各通気用開口穴１３ａで生じる乱流が発生する。そして光源ユニット補強板１３とリアフレーム２１間の層状空間Ｋにも空気の流れが発生するため、光源ユニット補強板１３だけでなく、リアフレーム２１による冷却効果も増して、各ＬＥＤ１１に対する冷却効率が向上する。
【００６３】
この場合、光源ユニット補強板１３とリアフレーム２１に溶接やネジで固定される箇所が多い程、各ＬＥＤ１１の発熱がリアフレーム２１に有効に伝達される。このため、各ＬＥＤ１１の発する熱が伝わり易いように、本第１実施形態では、上述したように各部材を導電性の高い材料で形成し相互に密着させた構成となっている。
【００６４】
（第１実施形態の動作）
光源ユニット補強板１３とリアフレーム２１できる層状の空間Ｋは、幅Ｗ一定の時、高さＨが高くなる程、リアフレーム２１と光源ユニット補強板１３の剛性が向上する。また、温度上昇については、各ＬＥＤ１１の付近が高温になる。しかし上述したように放熱効果が高められた構造としたので、各ＬＥＤ１１周辺が高温度になっても、リアフレーム２１や導光板２３領域の温度上昇が抑制される。その結果、当該リアフレーム２１や導光板２３の熱変形が抑えられ、同時に液晶表示装置１全体の剛性もあげることができる。
【００６５】
また、各ＬＥＤ１１の発熱は、ＬＥＤ実装基板１２を伝達し光源ユニット補強板１３に伝わり、リアフレーム２１で一体化された当接する部分でリアフレーム２１側に一部分割される。
更に、各ＬＥＤ１１の熱は、例えば、厚さt １．０アルミ等の板金でも、６０〜７０〔ｍｍ〕程度の熱伝導で飽和してしまい、それ以上の熱拡散効果は少なく、リアフレーム２１全体での熱拡散は望めない。
【００６６】
このため、放熱手段が光源ユニット補強板１３とリアフレーム２１の二手に分割された構造の本第１実施形態にあっては、それぞれで熱拡散が可能となる。そして空気中への熱放射効率の向上が期待でき、かかる点において放熱効果が向上する。また、電子機器に組み込んだファン等を使用すれば、リアフレーム２１と光源ユニット補強板１３との間の層状空間Ｋにも風の流れが生じて放熱効果が上がる。
【００６７】
（第１実施形態の効果）
以上のように、本第１実施形態にあっては、リアフレーム２１と光源ユニット補強板１３は、単一の板材で構成する場合に比較して、軽量であり、且つ表示面方向や表示面と垂直の方向に対する剛性を向上させることが出来る。
【００６８】
例えば、画面サイズが２０インチ型の大きさの場合、サイドマウントの対角固定で、角に９．８１〔Ｎ〕の力を加えた時のリアフレームの変形量を解析により求める。
図５（Ａ）に示すように光源ユニット板の板厚ｔと曲げ高さｈにより、力を加えた部分の変形量をグラフ化した結果を図５（Ｂ）に示す。
【００６９】
これによると、光源ユニット補強板１３がない状態に比べ、「ｔ＝１．０、ｈ＝２．０」で１．１５倍の強度アップ、「ｔ＝１．０、ｈ＝４．０」で１．４９倍の強度の上昇、が達成できた。
【００７０】
更に、第一のテラス部１３Ａで光源ユニット補強板１３とリアフレーム２１とが固定されることで、各ＬＥＤ１１から発せられた熱が二手に分かれるので、放熱効率が向上する。さらに層状空間Ｋ２の内部での対流により、放熱効率がより一層向上した。
【００７１】
例えば、画面サイズが２０インチ型の大きさで光源の消費電力が２６〔Ｗ〕の場合を挙げる。解析値による相対比較では、光源ユニット補強板１３がない状態の液晶表示装置１の熱抵抗は２．７６〔Ｗ／℃〕である。これに対し、光源ユニット板が付くことにより、熱抵抗は２．４０〔Ｗ／℃〕となり、１３〔％〕の改善が見込まれた。これにより、明らかに放熱効率が向上する効果を得た。
【００７２】
そして、本第１実施形態における液晶表示装置１では、前述したように、リアフレーム２１の背面に光源ユニット補強板１３が配設される。そして、層状空間Ｋを設けることにより、リアフレーム２１および導光板２３の剛性がアップし同時に液晶表示装置１自体の剛性がアップする。
【００７３】
また、各ＬＥＤ１１が発する熱については、上述したように光源ユニット補強板１３に伝わり、光源ユニット補強板１３がリアフレーム２１に接続されている部分で、各ＬＥＤ１１の熱が光源ユニット補強板１３からリアフレーム２１に伝わり、放熱効果が上昇する。
【００７４】
更に、この液晶表示装置１を実装する電子機器等のファンによる空気流によって、光源ユニット補強板１３の複数の開口穴１３ａで空気の乱流が、又光源ユニット補強板１３とリアフレーム２１間の層状空間Ｋにも空気の流れがそれぞれ発生する。そのため、光源ユニット補強板１３だけでなく、リアフレーム２１にあっても冷却効果も上がり、全体ではＬＥＤの発熱の冷却効率が大幅に向上する。
【００７５】
本第１実施形態は、上述したように構成され機能するので、これによると、液晶表示装置１の全体の薄型化に際し各構成部材を薄型化しても、光源ユニット補強板１３とリアフレーム２１とが連係して有効に機能する。そして、装置全体（特に、導光板２３）の剛性の向上を図ると共に発光素子である各ＬＥＤ１１の発する発熱を、当該光源ユニット補強板１３とリアフレーム２１とが連係して有効に伝熱分散し放熱することを可能とすることができる、という利点を有する。
【００７６】
〔第２の実施形態〕
次に、本発明の第２実施形態を図６に基づいて説明する。
ここで、各構成部材の符号は、前述した第１実施形態のものをそのまま使用するものとする。
【００７７】
この第２の実施形態における液晶表示装置２では、光源ユニット１０が装備する複数のＬＥＤ１１，１１，…と、ＬＥＤ実装基板１２と、光源ユニット補強板１３とを、液晶パネル３２を駆動する信号処理基板３４側に配設した点に特徴を有する。
【００７８】
以下、これを説明する。
図６において、光源ユニット補強板１３は、信号処理基板３４を固定するためのネジ穴を有する。信号処理基板３４と光源ユニット補強板１３の間は前述した第１実施形態の場合と同様に、層状空間Ｋが設けられている。
【００７９】
更に、信号処理基板３４の上（外面）には、基板カバー３３が所定の空間Ｋ３をもって装備されている。信号処理基板３４と光源ユニット補強板１３の間には前述したのと同様の層状空間Ｋがあることにより、光源ユニット補強板１３に伝わった各ＬＥＤ１１，１１，…の熱が信号処理基板３４に直接伝わることが防止されている。
【００８０】
また、信号処理基板３４を固定するネジ部や引掛部を光源ユニット補強板１３に設けることにより、リアフレーム２１に穴等を設ける必要が無く、リアフレーム２１の隙間等から漏れるバックライト（導光板２３）からの光りを遮光することができる。
【００８１】
即ち、液晶表示装置では、公知のものにあっては、表示面（図６では下面側）から光を出すので、同時に背面の隙間から背面側に光が漏れてしまうものが多い。背面から漏れた光の強度が大きい場合、液晶表示装置を装備した電子機器等でも排気用のスリット等から液晶表示装置背面の光が漏れてしまうことがある。本第２実施形態では、これらの課題も、解決し背面からの光漏れを極力抑えられる。この点は、前述した第１実施形態の場合も同様である。
【００８２】
その他の構成およびその作用効果は、前述した第１実施形態の場合と同様である。
このようにしても、前述した第１実施形態における液晶表示装置１の場合と同等の作用効果を得ることができる。
【００８３】
〔第３の実施形態〕
次に、本発明の第３実施形態を図７に基づいて説明する。
ここで、各構成部材の符号は、前述した第１実施形態のものを、そのまま使用するものとする。
【００８４】
上述した第１乃至第２の各実施形態では、ＬＥＤ実装基板１２を光源ユニット補強板１３に端部に取り付けた場合を例示した。
これに対して、本第３実施形態では、第１実施形態に近似した構成を採用している。
この場合、本第３実施形態では、ＬＥＤ実装基板１２を、導光板２３端部でＬ字に曲げてリアフレーム２１に取付けるという構成を採用している。
【００８５】
即ち、図７において、リアフレーム２１を液晶パネル３２側にほぼ直角に曲げ、導光板２３の側面に対向する面に、ＬＥＤ実装基板１２が両面テープ１４等で固定される。
光源ユニット補強板１３は、端部がＬＥＤ実装基板１２と平行な辺でリアフレーム２１の背面にＬＥＤ実装基板１２に平行になるようにねじや溶接等で固定される。そして、リアフレーム２１から離れる方向にほぼ直角に折り曲げられてなる第１のテラス１３Ａを有する。更に、ほぼ直角にＬＥＤ実装基板１２に離れる方向に折り曲げられてリアフレーム２１とほぼ平行な面を有し、次に、第２のテラス１３Ｂを構成するように、ほぼ直角に折り曲げを繰り返す。
【００８６】
このため、これによると、前述した第１乃至第２の実施形態の場合と同様に、各ＬＥＤ１１の発熱がＬＥＤ実装基板１２を経由して、リアフレーム２１に伝達される。リアフレーム２１と光源ユニット補強板１３とが接触する第１のテラス１３ＡでＬＥＤ光源１１からの伝わった熱を光源ユニット補強板１３側にも分割して伝達される。
【００８７】
更に、ＬＥＤ光源ユニット補強板１３とリアフレーム２１で構成される層状空間Ｋと光源ユニット補強板１３に設けられた複数の通気用開穴１３ａにより、空気の対流でリアフレーム２１と光源ユニット補強板１３が冷却される。
【００８８】
その他の構成およびその作用効果は前述した第１実施形態の場合と同様である。
このようにしても前述した第１実施形態における液晶表示装置１の場合と同等の作用効果を得ることができる。
【００８９】
〔第４の実施形態〕
次に、本発明の第４実施形態を説明する。
ここで、各構成部材の符号は、前述した第１実施形態のものを、そのまま使用するものとする。
【００９０】
上述した第１乃至第２の各実施形態では、光源ユニット補強板１３がリアフレーム２１にねじや溶接等で固定していた場合を例示したが、本第４実施形態では、光源ユニット補強板１３が第１のテラス部１３Ａ及び第２のテラス部１３Ｂでリアフレーム２１にねじや爪嵌合で固定されている。
同時に、複数の各ＬＥＤ１１，１１，…が実装されたＬＥＤ実装基板１２と光源ユニット補強板１３とを備えた光源ユニット１０を、シャーシ２５から取り外し可能な構造とした。
【００９１】
これにより、寿命により輝度が低下した各ＬＥＤ１１（ＬＥＤ光源）については、その全体を、当該各ＬＥＤ１１が付されたＬＥＤ実装基板１２を交換することにより、当該ＬＥＤ光源の交換が可能となる。この場合、光源ユニット補強板１３とリアフレーム２１が付された導光板２３とは、再利用するようにしてもよい。
【００９２】
その他の構成およびその作用効果は前述した第１実施形態の場合と同様である。
このようにしても前述した第１実施形態における液晶表示装置１の場合と同等の作用効果を得ることができる。
【００９３】
以下は、上述した各実施形態についての新規な技術内容の要点を付記としてまとめたものであるが、本発明は必ずしもこれに限定されるものではない。
【００９４】
（付記１）
液晶パネル３２と、この液晶パネル３２の背面側に配設された液晶パネル用の光源ユニット１０と、この光源ユニット１０の周端部を前記液晶パネル３２と共に保持するシャーシ２５と、このシャーシ２５と共に前記液晶パネル３２の前面側の周囲を保持するフロントフレーム３１とを備えた液晶表示装置であって、
前記光源ユニット１０を、
前記液晶パネル３２に向けて面状光を出力する導光板２３と、この導光板２３の一端部の端面に対向して配置された複数の発光素子１１を保持する発光体実装基板１２と、前記導光板２３を背面側で保持し且つ光反射機能を備えたリアフレーム２１とを含んで構成し、
前記リアフレーム２１の外面（背面側）に、前記導光板２３の一部に対応して光源ユニット補強板１３を装備すると共に、この光源ユニット補強板１３の前記発光体実装基板１２側の端部を、前記導光板２３の端面に沿って曲折し前記発光体実装基板１２に当接させて一体化構造としたことを特徴とする液晶表示装置。
【００９５】
（付記２）
付記１に記載の液晶表示装置において、
前記光源ユニット補強板１３の前記発光体実装基板１２側の端部に代えて、前記リアフレーム２１の前記発光体実装基板１２側の端部を、前記導光板２３の端部に沿って曲折し前記発光体実装基板１２の背面側に当接させた構造としたことを特徴とする液晶表示装置。
【００９６】
（付記３）
付記１又は２に記載の液晶表示装置において、
前記光源ユニット補強板１３は、
その両端面部分が前記リアフレーム２１に当接し一体的に連結される第一のテラス部１３Ａ及び第二のテラス部１３Ｂと、その中央領域部分１３Ｃが前記リアフレーム２１から離間した状態で内側に層状空間Ｋを形成してなる断面逆Ｕ字状平板部１３Ｃとをもって構成されたものであることを特徴とする液晶表示装置。
【００９７】
（付記４）
付記３に記載の液晶表示装置において、
前記光源ユニット補強板１３は、前記断面逆Ｕ字状平板部１３Ｃに、複数の通気用開口穴１３ａを備えていることを特徴とした液晶表示装置。
【００９８】
（付記５）
付記１乃至４の何れか一つに記載の液晶表示装置において、
前記光源ユニット補強板１３の外面側に、当該光源ユニット補強板１３に保持され且つ当該光源ユニット補強板１３との間に一定の層状空間Ｋを形成してなる信号処理基板３４を配設し、この信号処理基板３４には前記液晶パネル駆動用の信号処理回路が組み込まれていることを特徴とした液晶表示装置。
【００９９】
（付記６）
付記１乃至５の何れか一つに記載の液晶表示装置において、
前記光源ユニット１０は、前記光源ユニット補強板１３と共に前記シャーシ２５に対して着脱自在に装備されていることを特徴とした液晶表示装置。
【産業上の利用可能性】
【０１００】
本発明は光源からの熱の放散に苦慮している各種表示装置の照明手段もしくはバックライト用として、有効に利用することができる。
【符号の説明】
【０１０１】
１，２，３  液晶表示装置
１０  光源ユニット（バックライト）
１１  ＬＥＤ（発光素子）
１２  ＬＥＤ実装基板
１３  光源ユニット補強板
１３Ａ  第一のテラス部
１３Ｂ  第二のテラス部
１３Ｃ  断面逆Ｕ字状平板部（中央領域）
１３ａ  通気用開口穴
１４  両面テープ
２１  リアフレーム
２２  反射シート
２３  導光板
２４  光学シート
２５  シャーシ
３１  フロントフレーム
３２  液晶パネル
３３  基板カバー
３４  信号処理基板
３５  フレキシブル基板（ＣＯＦ）
Ｋ  層状空間
【図１】
2016142866.tif 000003
【図２】
2016142866.tif 000004
【図３】
2016142866.tif 000005
【図４】
2016142866.tif 000006
【図５】
2016142866.tif 000007
【図５（Ｃ）】
2016142866.tif 000008
【図６】
2016142866.tif 000009
【図７】
2016142866.tif 000010
【図８】
2016142866.tif 000011
【図９】
2016142866.tif 000012
【図１０】
2016142866.tif 000013
【図１１】
2016142866.tif 000014
【図１２】
2016142866.tif 000015